【手続補正書】
【提出日】平成18年6月28日(2006.6.28)
【手続補正１】
【補正対象書類名】明細書
【補正対象項目名】請求項１
【補正方法】変更
【補正の内容】
【請求項１】  与えられる信号に応じたコマンドを出力するコマンド受信回路と、
与えられる信号に応じた行アドレス、列アドレスおよびバンクアドレスを出力するアドレス受信回路と、
前記コマンド受信回路の出力および前記アドレス受信回路の出力に応じて動作を行なう第１の内部回路とを備え、
前記第１の内部回路は、
各々が行列状に配置されるメモリセルを有し、前記コマンドおよび前記バンクアドレスに応じて活性化される複数のバンクと、
各前記バンクに対応して設けられ、前記コマンドおよび前記行アドレスに応じて前記メモリセルの行の選択に関連する動作をする行系回路と、
各前記バンクに対応して設けられ、前記コマンドおよび前記列アドレスに応じて前記メモリセルの列の選択に関連する動作をする列系回路とを含み、
前記コマンドに応じて動作を行なう第２の内部回路をさらに備え、
前記第２の内部回路は、
前記第１の内部回路に動作電源電位を供給する電源回路を含み、
前記電源回路は、
前記動作電源電位の目標値である参照電位を発生する参照電位発生回路と、
前記コマンドに対応する活性化時間および応答速度を選択し、前記活性化時間の間前記応答速度に対応する応答制御信号を活性化する応答速度制御回路と、
前記応答制御信号に応じた応答速度で動作し、外部電源電位を受けて、前記参照電位まで電圧降下させて前記動作電源電位を出力する電圧降下回路とを含む、半導体記憶装置。
【手続補正２】
【補正対象書類名】明細書
【補正対象項目名】００１９
【補正方法】変更
【補正の内容】
【００１９】
コマンドデコーダ９４は、制御信号入力バッファ６から制御信号ｉｎｔ．ＲＡＳ、ｉｎｔ．ＣＡＳ、ｉｎｔ．ＷＥを受けてデコードしＡＣＴコマンドが入力されたことを示す信号ＡＣＴＦおよびＰＲＥコマンドが入力されたことを示す信号ＰＲＥＦを出力する。信号ＡＣＴＦ、ＰＲＥＦの発生には、バンク情報は絡んでいない。バンク指定信号ＢＡＤ０〜ＢＡＤ３、信号ＡＣＴＦ、ＰＲＥＦは選択回路９６に入る。選択回路９６は、バンクのロウ系を活性化する信号ＡＣＴＦ０〜ＡＣＴＦ３およびバンクのロウ系を不活性化する信号ＰＣＧＦ０〜ＰＣＧＦ３を発生する。これらの信号は、指定されたバンクにおいて１サイクルだけＨレベルになる信号である。
【手続補正３】
【補正対象書類名】明細書
【補正対象項目名】００４７
【補正方法】変更
【補正の内容】
【００４７】
【課題を解決するための手段】
請求項１に記載の半導体装置は、与えられる信号に応じたコマンドを出力するコマンド受信回路と、与えられる信号に応じた行アドレス、列アドレスおよびバンクアドレスを出力するアドレス受信回路と、コマンド受信回路の出力およびアドレス受信回路の出力に応じて動作を行なう第１の内部回路とを備え、第１の内部回路は、各々が行列状に配置されるメモリセルを有し、コマンドおよびバンクアドレスに応じて活性化される複数のバンクと、各バンクに対応して設けられ、コマンドおよび行アドレスに応じてメモリセルの行の選択に関連する動作をする行系回路と、各バンクに対応して設けられ、コマンドおよび列アドレスに応じてメモリセルの列の選択に関連する動作をする列系回路とを含み、コマンドに応じて動作を行なう第２の内部回路をさらに備え、第２の内部回路は、第１の内部回路に動作電源電位を供給する電源回路を含み、電源回路は、動作電源電位の目標値である参照電位を発生する参照電位発生回路と、コマンドに対応する活性化時間および応答速度を選択し、活性化時間の間応答速度に対応する応答制御信号を活性化する応答速度制御回路と、応答制御信号に応じた応答速度で動作し、外部電源電位を受けて、参照電位まで電圧降下させて動作電源電位を出力する電圧降下回路とを含む。
【手続補正４】
【補正対象書類名】明細書
【補正対象項目名】００８６
【補正方法】変更
【補正の内容】
【００８６】
電源電位ＶｄｄがＳＤＲＡＭの周辺回路に供給される場合、コマンド入力に伴う内部回路の動作時の消費電流の増加が非常に大きい。この消費に電圧降下回路が反応よく対応するためにはコンパレータの貫通電流Ｉｃを大きくすればよい。しかし、消費電流が小さい待機時には大きな貫通電流Ｉｃは必要なく、待機時の消費電流削減の観点からは貫通電流Ｉｃは小さくなるように設定すべきである。
【手続補正５】
【補正対象書類名】明細書
【補正対象項目名】００９２
【補正方法】変更
【補正の内容】
【００９２】
図４は、信号ＰＷＲＵＰを発生する回路構成を説明するための回路図である。
図４を参照して、内部バンクアドレス信号ｉｎｔ．ＢＡ０、ｉｎｔ．ＢＡ１を受けてバンク指定信号ＢＡＤ０〜ＢＡＤ３を出力するバンクアドレスデコーダ９２と、内部制御信号ｉｎｔ．ＲＡＳ、ｉｎｔ．ＣＡＳ、ｉｎｔ．ＷＥを受けてデコードし信号ＡＣＴＦ、ＰＲＥＦを出力するコマンドデコーダと、バンク指定信号ＢＡＤ０〜ＢＡＤ３および内部アドレス信号ｉｎｔ．Ａ１０に従って対応するバンクに信号ＡＣＴＦ、ＰＲＥＦを出力する選択回路９６とは、図１におけるブロック８の内部のコントロール回路に含まれる回路である。
【手続補正６】
【補正対象書類名】明細書
【補正対象項目名】００９３
【補正方法】変更
【補正の内容】
【００９３】
選択回路９６はバンク０に対応する信号ＡＣＴＦ０、ＰＣＧＦ０をバンク０に対応して設けられるラッチ１００＃０に出力する。ラッチ１００＃０は、信号ＡＣＴＦ０が入力されるとこのバンクの活性化を示す信号ＺＲＡＳＥ０をＬレベルに活性化する。そして、信号ＰＣＧＦ０が入力されるとラッチ１００＃０は信号ＺＲＡＳＥ０をＨレベルに非活性化する。バンク１〜３に対しても対応するラッチ１００＃１〜１００＃３が設けられ同様な動作が行なわれる。
【手続補正７】
【補正対象書類名】明細書
【補正対象項目名】０１２１
【補正方法】変更
【補正の内容】
【０１２１】
図８を参照して、ＶＤＣ制御回路１５０は、制御信号ｉｎｔ．ＲＡＳ，ｉｎｔ．ＣＡＳを受けて信号ＣＯＬＦを出力するコマンドデコーダ１５２と、バースト長等の設定を保持しているモードレジスタ設定回路１５４と、モードレジスタ設定回路１５４からバースト長に対応する信号ＺＭＢＬｘを受けて制御信号ｉｎｔ．ＲＡＳ、ｉｎｔ．ＣＡＳが入力されたことを起点としてバースト長に対応する期間をクロック信号ＣＬＫＩを基準として内部でカウントするバースト長カウンタ１５６と、信号ＣＯＬＦとバースト長カウンタ１５６が出力する信号ＺＢＬＥＦとを受けて信号ＣＰ００を出力するコマンドデコーダ１５８と、クロック信号ＣＬＫＩに同期して信号ＣＰ００から信号ＰＷＲＵＰを発生しかつバースト長カウンタ１５６に対して信号ＥＮＣＬＫを出力するコラム活性化回路１６０とを含む。
【手続補正８】
【補正対象書類名】明細書
【補正対象項目名】０１４５
【補正方法】変更
【補正の内容】
【０１４５】
図１３は、図８におけるコラム活性化回路１６０の構成を示す回路図である。
【手続補正９】
【補正対象書類名】明細書
【補正対象項目名】０１５０
【補正方法】変更
【補正の内容】
【０１５０】
図１５は、コラム活性化回路１６０の動作を説明するための動作波形図である。
【手続補正１０】
【補正対象書類名】明細書
【補正対象項目名】０１５５
【補正方法】変更
【補正の内容】
【０１５５】
つまり、コラム活性化回路１６０は、信号ＣＰ００がＨレベルからＬレベルに立下がるタイミングを２．５クロックだけ後ろにずらしている。電源電流の消費が大きい期間はコラム系活性期間と一致するので、この回路出力を信号ＰＷＲＵＰとして電圧降下回路ＶＤＣの貫通電流Ｉｃを制御することに使用することができる。
【手続補正１１】
【補正対象書類名】明細書
【補正対象項目名】０１５６
【補正方法】変更
【補正の内容】
【０１５６】
また、コラム活性化回路１６０からは、バーストカウンタを活性化させる信号ＥＮＣＬＫも出力される。これは、信号ＣＰ００がＨレベルからＬレベルに立下がるタイミングを１．５クロックだけ後ろにずらしたものである。
【手続補正１２】
【補正対象書類名】明細書
【補正対象項目名】０１５８
【補正方法】変更
【補正の内容】
【０１５８】
また、コラム活性化回路１６０以外の回路は、もともとコラム系の動作自体で必要とされる回路であるので、これらを制御信号ＰＷＲＵＰを発生するために共用することができる。
【手続補正１３】
【補正対象書類名】明細書
【補正対象項目名】図１３
【補正方法】変更
【補正の内容】
【図１３】  図８におけるコラム活性化回路１６０の構成を示す回路図であ
る。
【手続補正１４】
【補正対象書類名】明細書
【補正対象項目名】図１５
【補正方法】変更
【補正の内容】
【図１５】  コラム活性化回路１６０の動作を説明するための動作波形図で
ある。
【手続補正１５】
【補正対象書類名】図面
【補正対象項目名】図４
【補正方法】変更
【補正の内容】
【図４】
2001067867.tif 000001
【手続補正１６】
【補正対象書類名】図面
【補正対象項目名】図６
【補正方法】変更
【補正の内容】
【図６】
2001067867.tif 000002
【手続補正１７】
【補正対象書類名】図面
【補正対象項目名】図１６
【補正方法】変更
【補正の内容】
【図１６】
2001067867.tif 000003
【手続補正１８】
【補正対象書類名】図面
【補正対象項目名】図２１
【補正方法】変更
【補正の内容】
【図２１】
2001067867.tif 000004